(57)【要約】      （修正有）【課題】発電効率の向上を図るのに好適な発電機を提供する。【解決手段】発電機１は、温度変化で軸方向に沿って伸縮する螺旋状バイメタルにより永久磁石をコイル内で往復移動させて起電力を発生させる１又は複数の発電ユニット２と、発電ユニットを収納し、上面に太陽光が入射可能な開口３が形成された非透光性の収納ケース４と、開口に配置され太陽光の透過と非透過を制御するＬＣＤ５と、収納ケース内の温度を検出する温度センサ６と、温度センサが収納ケース内の温度上昇を検出するとＬＣＤを非透光性方向に制御し、収納ケース内の温度降下を検出するとＬＣＤを透光性方向に制御する調光制御部９を有する。【選択図】図１
0003220436.tif 000002
【実用新案登録請求の範囲】
【請求項１】
温度変化を機械的往復移動に変換する発電駆動部により永久磁石をコイル内で往復移動させて起電力を発生させる１又は複数の発電ユニットと、
前記１又は複数の発電ユニットを収納し、上面に太陽光が入射可能な開口が形成された非透光性の収納ケースと、
前記収納ケース内の温度変化に応じて前記収納ケースの上面に形成された前記開口を開閉制御する開閉手段とを備え、
前記開閉手段は、前記開口に配置されて該開口を通して前記収納ケース内への光の入射と遮光を切り替える開閉部と、
前記収納ケース内の温度上昇を検出すると前記開閉部を閉じ方向に制御し、前記収納ケース内の温度降下を検出すると前記開閉部を開方向に制御する開閉制御部とを有することを特徴とする発電機。
【請求項２】
請求項１において、
前記発電駆動部は、バイメタル部材を螺旋状に巻回し、温度上昇により軸方向に沿って延び、温度降下により軸方向に沿って縮む構成としたことを特徴とする発電機。
【請求項３】
請求項１及び２のいずれか１項において、
前記開閉部は、通電制御により光の透過と非透過が行われる液晶パネルであり、
前記開閉制御部は、太陽電池パネルを電源とし、前記収納ケース内の温度を検出する温度センサの温度情報に基づいて前記液晶パネルへの通電制御を行うことを特徴とする発電機。
【請求項４】
請求項３において、
前記開閉制御部は、温度センサの検出温度が所定温度範囲内を超えたか否かに基づいて通電制御を行うことを特徴とする発電機。
【請求項５】
請求項３及び４のいずれか１項において、
前記開閉制御部は、前記収納ケース内の温度に応じて前記液晶パネルの透過率を制御することを特徴とする発電機。
【請求項６】
請求項１及び２のいずれか１項において、
前記開閉部は、並設された複数の羽板の開閉により光の透過と非透過が行われるルーバーユニットであり、
前記開閉制御部は、バイメタル部材を渦巻き状に巻回し、温度変化に応じて内端が時計回り方向と反時計回り方向に回転する渦巻きバイメタルと、
前記渦巻きバイメタルを収納し、前記渦巻きバイメタルの外端が固定される外装ケースと、
前記巻きバイメタルの内端が固定される駆動軸とを有し、
前記駆動軸の回転出力に基づいて前記ルーバーユニットを開閉方向に駆動することを特徴とする発電機。
【考案の詳細な説明】
【技術分野】
【０００１】
本考案は、太陽光の熱エネルギーを長さ方向の変位に変換する螺旋状バイメタルを用いて発電する発電機に係り、特に、発電効率の向上を図るのに好適な発電機に関する。
【背景技術】
【０００２】
温度変化を機械エネルギーに変換する手段として、螺旋状バイメタルがある。螺旋状バイメタルを感熱部として利用した温度計が提案されている（特許文献１）。螺旋状バイメタルは、例えば平板状のバイメタルを螺旋状に巻回した構造を有し、温度変化により軸心の回りにねじれ変位が生じ、このねじれ角に基づいて温度表示を行う。
【０００３】
一方、非特許文献１に開示のように、螺旋状バイメタルは、温度変化でねじれ変位が生じると、ねじれ変位に伴う分力により、バイメタルが軸方向に沿って伸縮する。そして、非特許文献２には、この伸縮エネルギーを利用したバイメタル発電機が提案されている。
【先行技術文献】
【特許文献】
【０００４】
【特許文献１】特開２００１−１４７１９２号公報
【非特許文献】
【０００５】
【非特許文献１】“非ソーラパネル・太陽光発電  棒状螺旋バイメタルの利用（その１）”、[on line]、平成２９年９月１１日、YAHOOブログ、[平成30年12月5日検索]、インターネット＜URL：https://blogs.yahoo.co.jp/pruning101/58010893.html＞
【非特許文献２】“非ソーラパネル・太陽光発電  棒状螺旋バイメタルの利用（その４）”、[on line]、平成２９年９月１１日、YAHOOブログ、[平成30年12月5日検索]、インターネット＜URL：https://blogs.yahoo.co.jp/pruning101/58010829.html＞
【考案の概要】
【考案が解決しようとする課題】
【０００６】
非特許文献１、２に開示の技術において、発電機として安定した電力を出力する発電効率の向上には、螺旋状バイメタルの伸縮サイクルを多くすることが必要となる。
【０００７】
そこで、本考案は、このような従来の技術の有する未解決の課題に着目してなされたものであって、発電効率の向上を図るのに好適な発電機を提供することを目的としている。
【課題を解決するための手段】
【０００８】
〔考案１〕  上記目的を達成するために、考案１の発電機は、温度変化を機械的往復移動に変換する発電駆動部により永久磁石をコイル内で往復移動させて起電力を発生させる１又は複数の発電ユニットと、前記１又は複数の発電ユニットを収納し、上面に太陽光が入射可能な開口が形成された非透光性の収納ケースと、前記収納ケース内の温度変化に応じて前記収納ケースの上面に形成された前記開口を開閉制御する開閉手段とを備え、前記開閉手段は、前記開口に配置されて該開口を通して前記収納ケース内への光の入射と遮光を切り替える開閉部と、前記収納ケース内の温度上昇を検出すると前記開閉部を閉じ方向に制御し、前記収納ケース内の温度降下を検出すると前記開閉部を開方向に制御する開閉制御部とを有する。
【０００９】
〔考案２〕  さらに、考案２の発電機は、考案１の発電機において、前記発電駆動部は、バイメタル部材を螺旋状に巻回し、温度上昇により軸方向に沿って延び、温度降下により軸方向に沿って縮む構成とした。
【００１０】
〔考案３〕  さらに、考案３の発電機は、考案１及び２のいずれか１の発電機において、前記開閉部は、通電制御により光の透過と非透過が行われる液晶パネルであり、前記開閉制御部は、太陽電池パネルを電源とし、前記収納ケース内の温度を検出する温度センサの温度情報に基づいて前記液晶パネルへの通電制御を行う。
【００１１】
〔考案４〕  さらに、考案４の発電機は、考案３の発電機において、前記開閉制御部は、温度センサの検出温度が所定温度範囲内を超えたか否かに基づいて通電制御を行う。
【００１２】
〔考案５〕  さらに、考案５の発電機は、考案３及び４のいずれか１の発電機において、前記開閉制御部は、前記収納ケース内の温度に応じて前記液晶パネルの透過率を制御する。
【００１３】
〔考案６〕  さらに、考案６の発電機は、考案１及び２のいずれか１の発電機において、前記開閉部は、並設された複数の羽板の開閉により光の透過と非透過が行われるルーバーユニットであり、前記開閉制御部は、バイメタル部材を渦巻き状に巻回し、温度変化に応じて内端が時計回り方向と反時計回り方向に回転する渦巻きバイメタルと、前記渦巻きバイメタルを収納し、前記渦巻きバイメタルの外端が固定される外装ケースと、前記巻きバイメタルの内端が固定される駆動軸とを有し、前記駆動軸の回転出力に基づいて前記ルーバーユニットを開閉方向に駆動する。
【考案の効果】
【００１４】
以上説明したように、考案１の発電機によれば、太陽光が射していれば日の出から日の入りまでの間で、収納ケース内への太陽光の入射と遮光を繰り返し行うことができ、発電ユニットから効率よく電力を出力することができる。
【００１５】
さらに、考案２の発電機によれば、温度変化により確実に螺旋状バイメタルが軸方向に沿って伸縮動作するため、故障なく確実に発電することができる。
【００１６】
さらに、考案３の発電機によれば、液晶パネルは開口を常に覆っているので、収納ケース内への雨、ゴミなどが入り込むのを防止することができる。
【００１７】
さらに、考案４の発電機によれば、開口の開閉の切り替えタイミングを細かく設定でき、発電効率をより一層向上させることができる。
【００１８】
さらに、考案５の発電機によれば、液晶パネルの透過率を制御することにより、発電駆動部の軸方向に沿った伸縮動作が滑らかになり、綺麗な正弦波の発電出力波形が得られる。
【００１９】
さらに、考案６の発電機によれば、機械的な構成のルーバーユニットを電気的な手段を用いることなく温度変化で開閉制御することができる。
【図面の簡単な説明】
【００２０】
【図１】本考案による発電機の第１の実施の形態を示す斜視図である。
【図２】図１に示す発電機の動作を説明する図である。
【図３】図１に示す発電機の調光制御部を示すブロック図である。
【図４】（ａ）は図３に示す調光制御部の制御動作を説明するフローチャート、（ｂ）は（ａ）の調光制御動作の調光サイクルを示す図である。
【図５】本考案による発電機の第２の実施の形態を示し、（ａ）は調光部の平面図、（ｂ）は（ａ）のＡ−Ａ矢視図である。
【考案を実施するための形態】
【００２１】
〔第１の実施の形態〕
以下、本考案の第１の実施の形態を説明する。
図１に示す発電機（以下、バイメタル発電機と称す）１は、バイメタルを利用した複数の発電ユニット（以下、バイメタル発電ユニットと称す）２と、複数のバイメタル発電ユニット２を収納する上面に開口３が形成された収納ケース４と、開口３を覆う開閉部をなす透過型液晶パネル（ＬＣＤ）５と、収納ケース４内に配置された温度センサ６を有する。また、収納ケース４の上面には、開口３の図中左右両側に第１太陽電池パネル７と第２太陽電池パネル８が配置されている。収納ケース４の側面に、ＬＣＤ５を透過する光の透過光量を制御する開閉制御部をなす調光制御部９が配置されている。動作スイッチ１０のオン/オフ操作により、調光制御部９による調光動作の開始と終了が実行される。
【００２２】
バイメタル発電ユニット２の構成を図２（ａ）を参照して説明する。バイメタル発電ユニット２は、温度変化を機械的往復移動に変換する発電駆動部として、帯状に形成されたバイメタル部材を螺旋状に巻回した構造の螺旋状バイメタル２１と、螺旋状バイメタル２１の一端（上端）に固定した円柱形状の永久磁石２２と、螺旋状バイメタル２１の他端（下端）に固定された取り付け台２３と、永久磁石２２と同一軸線上に配置したコイル２４を有する。コイル２４内を永久磁石２２が軸方向に沿って移動可能に螺旋状バイメタル２１に永久磁石２２が取り付けられる。また、取り付け台２３が収納ケース４の内底面に固定される。
【００２３】
螺旋状バイメタル２１は、温度変化により軸方向長さが伸縮する機械的特性を有し、温度が上昇すると軸方向に沿って延び、温度が低下すると軸方向に沿って縮む。図２（ａ）は螺旋状バイメタル２１が軸方向において縮んだ状態を示し、永久磁石２２はコイル２４外まで退避している。螺旋状バイメタル２１の周囲温度が上昇すると、図２（ｂ）のように螺旋状バイメタル２１が軸方向に沿って延び始めると、コイル２４内に永久磁石２２が入り、フレミングの右手の法則に従って、コイル２４に起電力が発生する。更に螺旋状バイメタル２１の周囲温度が上昇すると、図２（ｃ）に示すように、螺旋状バイメタル２１が軸方向に沿ってさらに延びて永久磁石２２がコイル２４内を更に移動し、さらに起電力が発生する。
【００２４】
螺旋状バイメタル２１の周囲温度がここで一定に維持されると、螺旋状バイメタル２１の伸縮は行われず、永久磁石２２が図２（ｃ）に示す位置に留まり、コイル２４からの起電力の発生が停止する。螺旋状バイメタル２１の周囲温度が逆に低下すると、螺旋状バイメタル２１が軸方向に沿って長さが縮み始める。このため、永久磁石２２がコイル２４内を逆方向に移動し、逆向きの起電力が発生する。
【００２５】
収納ケース４は、ケースの内外に温度差（内部が外部よりも低温）が生じるように底壁面及び４側面が断熱性の部材で形成され、また不透明に形成されて太陽光が透過しないようにしている。
【００２６】
収納ケース４の上面に形成した大口径の開口３には、透過型のＬＣＤ５が密閉状態で配置されている。ＬＣＤ５は電圧を印加すると光の透過を許容し、電圧の印加を解除すると光を反射する特性を有する。ＬＣＤ５は図３に示す調光制御部９により、光を透過する開信号と、光を不透過とする閉信号により調光制御される。ＬＣＤ５が光を透過（開）すると、収納ケース４内に収納された複数のバイメタル発電ユニット２に太陽光が当たり、螺旋状バイメタル２１の温度が上昇する。その結果、螺旋状バイメタル２１が軸方向に沿ってコイル２４側に向けて延び、永久磁石２２がコイル２４内を移動してコイル２４に起電力が発生する。
【００２７】
次いで、ＬＣＤ５への電圧印加を解除すると、ＬＣＤ５は太陽光を不透過（閉）とし、収納ケース４内への太陽光の入射が遮られて収納ケース４内の温度が低下し始めるため、螺旋状バイメタル２１が軸方向に沿って縮み、永久磁石２２がコイル２４から抜け始める。調光制御部９は、ＬＣＤ５の開閉頻度を高め、それに応じてバイメタル発電ユニット２のコイル２４が発生する起電力の周波数を高くする。
【００２８】
調光制御部９の制御動作を図３および図４に基づいて説明する。
図３において、調光制御部９とＬＣＤの駆動電源は第１太陽電池パネル７と第２太陽電池パネル８で発電した電力を使用しており、第１太陽電池パネル７と第２太陽電池パネル８で発電電力がバッテリー１１に蓄電され、バッテリー１１からの電力が調光制御部９に給電される。また、動作スイッチ（ＳＷ）１０のオン/オフ操作で調光制御部９の動作が開始され、また終了する。
【００２９】
調光制御部９はＣＰＵ等のプロセッサー（不図示）と、メモリ（不図示）を有する。メモリには温度センサ６で検出した温度が一時的に記録され、また上限閾値温度（ｔ１）と下限閾値温度（ｔ２）が記録される。プロセッサーはメモリに記録された動作プログラムにより、図３に示すフローチャートに従った調光動作を行う。
【００３０】
図３に示すフローチャートに従って、調光制御動作を説明する。動作スイッチ１０のオン操作で、制御動作がスタートし、先ず、ステップ（図中Ｓと略す）１でＬＣＤ５に開信号を出力し、ステップ２に進む。ＬＣＤ５は光透過状態となり、太陽光を収納ケース４の開口３を通して収納ケース４内に照射可能となる。したがって、各バイメタル発電ユニット２の螺旋状バイメタル２１の温度が上昇する。
【００３１】
ステップ２において、動作スイッチ（ＳＷ）がオフ（ｏｆｆ）であるか否かを判断し、スイッチオフでなければステップ３に進む。動作スイッチ（ＳＷ）がオフであると、ステップ６に進み、閉信号をＬＣＤ５に出力し、ＬＣＤ５を閉じて太陽光が収納ケース４内に差し込まないようにする。
【００３２】
ステップ３において、温度センサ６の収納ケース４内の測定温度（ｔ）が上限閾値温度（ｔ１）を超えるのを待ってステップ４に進む。ここで、上限閾値温度（ｔ１）を例えば３０℃に設定する。また、下限閾値温度（ｔ２）を例えば２５℃に設定する。
【００３３】
ステップ４において、ＬＣＤ５に閉信号を出力し、ステップ５に進む。バイメタル発電ユニット２の螺旋状バイメタル２１の温度が十分に高くなり、螺旋状バイメタル２１がこれ以上延びにくくなり、永久磁石２２の移動速度が低下するとコイル２４から起電力が殆ど生じなくなるので、螺旋状バイメタル２１の温度を下げて永久磁石２２がコイル２４から抜け出る方向に移動を開始させる。この動作で、螺旋状バイメタル２１の軸方向に沿って縮む方向に移動が開始され、移動速度が加速される。このため、コイル２４は逆の起電力が発生し、その前に発生する起電力と合わせて正弦波形の電力が出力される。
【００３４】
ステップ５において、温度センサ６の測定温度（ｔ）が下限閾値温度（ｔ２）を超えるのを待ってステップ１に戻り、再び開信号をＬＣＤ５に出力する。すなわち、収納ケース４内の複数のバイメタル発電ユニット２は、螺旋状バイメタル２１の温度が低下し、温度低下速度が緩やかになると、永久磁石２２の移動が僅かになり、コイル２４から起電力が生じ難くなる。そこで、ステップ１に戻り、再びＬＣＤ５を開いて太陽光を収納ケース４内に照射させ、バイメタル発電ユニット２の螺旋状バイメタル２１の温度を上昇させることにより、次のサイクルでの発電を行う。この一連の動作を繰り返し行うことにより、発電効率を向上させることができる。
【００３５】
すなわち、図４（ｂ）に示すように、調光制御部９が無い場合、日の出から日の入りまでの間において、太陽光で熱せられるバイメタル発電ユニット２の螺旋状バイメタル２１は、伸縮を１回だけ行う。これに対し、調光制御部９がある場合には、何度も繰り返してＬＣＤ５の開閉を行え、収納ケース４内の温度を上昇させ、また低下させる状態を多数回繰り返し行える。このため、バイメタル発電ユニット２は連続して正弦波状（周期性のある波形）の電力を出力でき、開閉回数を多くすることで、電力の出力周波数を高くでき、発電効率を高めることができる。なお、図４（ｂ）において、調光制御部９有の波形図は、説明容易のために、一日にｎ（ｎ＞１）回の開閉を示しているだけであって、相当な回数で開閉動作を行うことができる。
【００３６】
本実施の形態において、ＬＣＤ５の開閉の切り替えは、収納ケース４内の温度（ｔ）が上限閾値温度（ｔ１）と下限閾値温度（ｔ２）の間で行い、全開と全閉の二者択一的に制御しているが、ＬＣＤ５の透過効率をリニアで制御し、またヒステリシスに制御してもよい。例えば横軸に温度（ｔ２〜ｔ１）、縦軸に透過率（０％〜１００％）をそれぞれとり、温度ｔ１で透過率０％、温度ｔ２で透過率１００％とする一次又は二次関数を設定し、前記関数によりＬＣＤ５の透過率を制御する。また、ヒステリシス制御では、前記関数について温度上昇用と温度降下用とを別々に設けた構成とする。
【００３７】
本実施の形態によれば、上限閾値温度（ｔ１）と下限閾値温度（ｔ２）の設定温度を調整することで、ＬＣＤ５の開閉の切り替えタイミングを細かく設定でき、発電効率をより一層向上させることができる。
【００３８】
また、ＬＣＤ５は開口３を常に覆っているので、収納ケース４内への雨、ゴミなどが入り込むのを防止することができる。
【００３９】
さらに、ＬＣＤ５の透過率の調光制御をリニア制御、ヒステリシス制御とすることにより、螺旋状バイメタル２１の軸方向に沿った伸縮動作が滑らかになり、綺麗な正弦波の発電出力波形が得られる。
【００４０】
〔第２の実施の形態〕
次に、本考案の第２の実施の形態を説明する。
図５は第２の実施の形態を示す。第１の実施の形態と異なるのは、収納ケース４の上面の開口３に、ＬＣＤ５に代えて開閉部をなすルーバーユニット３０を設けた点である。
【００４１】
ルーバーユニット３０の開閉制御部をなす開閉駆動部３１は、バイメタルを渦巻き形状に形成した構造で、渦巻き形状の渦巻きバイメタル３２の内径端３３ａに駆動軸３４を固定し、外径端３３ｂを外装ケース３５に固定している。外装ケース３５は収納ケース４の内壁に固定されている。外装ケース３５は良熱伝導性の材料により形成され、ケース４内の温度を素早く渦巻きバイメタル３２に伝達する。図２（ｂ）に示すように、渦巻きバイメタル３２は、温度上昇を検出すると反時計回りに駆動軸３４を回転し、温度低下を検出すると時計回りに駆動軸３４を回転する。
【００４２】
ルーバーユニット３０は、回転可能な複数の羽板３６を左右方向に沿って所定間隔を有して枠体３７内に並設しており、枠体３７の内側に開口３が形成されている。なお、図５は複数の羽板３６が水平姿勢に保持された全閉状態を示し、複数の羽板３６が水平姿勢から反時計回り方向に９０度回転した二点鎖線で示す垂直姿勢位置が全開状態である。全開状態で、並設する羽板３６の間に、バイメタル発電ユニット２を配置している。また、収納ケース４内の空いたスペースに小サイズのバイメタル発電ユニット２Ａを配置することができる。
【００４３】
羽板３６は幅方向中央位置（図５中、左端の羽板を除く）で長手方向に沿って延びる回転軸３８に固定され、一端部３９と他端部４０は枠体３７に回転自在に支持されている。各回転軸３８の一端部３９には、回動アーム４１がそれぞれ固定されている。図５（ｂ）に示すように、回動アーム４１は羽板３６が全閉状態の水平位置に位置した場合、時計回り方向に４５度回転した位置に固定される。各回動アーム４１の先端部に固定された連結ピン４２に、連動ロッド４３が回転自在に支持されている。したがって、連動ロッド４３を介して全ての回動アーム４１は同期回転する。回動アーム４１を閉位置から時計回り方向に９０度回転すると、羽板３６は垂直姿勢の全開位置に達する。
【００４４】
複数の回転軸３８の内で、左端の回転軸３８（本明細書中、被駆動軸３８Ａとする）の一端部３９に半円形状の入力ギヤ４４を固定しており、図５（ｂ）に示す全閉状態で、入力ギヤ４４は下側に向けて凸の円弧部にギヤ部４５が形成されている。
【００４５】
開閉駆動部３１の駆動軸３４の軸端部には、出力ギヤ４６が固定されている。駆動部３１は収納ケース４内に配置されるが、バイメタル発電ユニット２と、羽板３６の開閉にそれぞれ干渉しない位置に限られる。このため、開閉駆動部３１の出力ギヤ４６と入力ギヤ４４との間に、両ギヤ４４、４６とかみ合う中間ギヤ４７を配置し、開閉駆動部３１の出力ギヤ４６の回転を中間ギヤ４７を介して入力ギヤ４４に伝達している。中間ギヤ４７は収納ケース４の内側壁に固定した支軸４８に回転自在に軸支されている。出力ギヤ４６と入力ギヤ４４を近接して配置できる場合には、中間ギヤ４７が不要となる。
【００４６】
次に、開閉駆動部３１によるルーバーユニット３０の開閉動作を説明する。
夜間や夕方、朝方などのように、収納ケース４内の温度が比較的低い場合には、開閉駆動部３１の渦巻きバイメタル３２は、時計回り方向に駆動軸３４を回転させて停止している。この状態で、ルーバーユニット３０は開状態にあり、収納ケース４の開口３４は開いている。この状態で日が昇り、太陽光が収納ケース４内に差し込まれると、渦巻きバイメタル３２は温度上昇を検出し、駆動軸３４を反時計回り方向に回転駆動する。このため、出力ギヤ４６に噛合する中間ギヤ４７が時計回り方向に回転し、入力ギヤ４４が反時計回り方向に回転する。
【００４７】
入力ギヤ４４が反時計回り方向に回転すると、被駆動軸３８Ａに固定された羽板３６が二点鎖線で示す全開位置から反時計回り方向に全閉位置に向け回転を始め、同時に被駆動軸３８Ａに固定された回動アーム４１が反時計回り方向に回転し、連動ロッド４３を図中左方向に移動させて他の回動アーム４１を反時計回り方向に回転させる。したがって、全ての羽板３６が同時に開状態から閉状態に向けて回転する。
【００４８】
ルーバーユニット３０が閉じ状態になると、太陽光の入射が遮られて収納ケース４内の温度が低下し、また開閉駆動部３１が太陽光から直射日光を受けないため、開閉駆動部３１の温度が低下し始め、渦巻きバイメタル３２が駆動軸３４を時計回り方向に回転させる。このため、羽板３６が開方向に向けて回転を始め、収納ケース４内に太陽光が射し、渦巻きバイメタル３２が温度上昇を検出し始める。そうすると、羽板３６が閉じ位置に向けて回転を開始し始める。
【００４９】
以上の動作は、ルーバーユニット３０が開状態から閉状態に移行し、さらに開状態に戻る一連の動作、すなわち羽板３６の開閉状態の１サイクルである。このように、電気制御を使用しなくても、日の出から日の入りの間で、太陽光が収納ケース４内に入射と遮光を繰り返して実行することができる。
【００５０】
なお、出力ギヤ４６と入力ギヤ４４に代えてプーリを設け、両プーリをチェーンやワイヤー等で連結し、温度変化に伴う開閉駆動部３１の駆動力を被駆動軸３８Ａに伝達するようにしてもよい。
【００５１】
〔変形例〕
なお、上記第２の実施の形態及びその変形例においては、渦巻きバイメタル３２によりルーバーユニット３０の開閉を行うように構成したが、これに限らず、次の構成を採用することができる。
【００５２】
この構成は、螺旋状バイメタル２１の上端がコイル２４の上部を通過するとオン信号を出力するスイッチを設け、スイッチからの出力信号をフリップフロップに入力する。フリップフロップは、前の状態が「０」でスイッチからオン信号を入力すると「１」を出力し、前の状態が「１」でスイッチからオン信号を入力すると「０」を出力する。開閉駆動部３１は、フリップフロップから「１」を入力すると、ルーバーユニット３０を開放し、フリップフロップから「０」を入力すると、ルーバーユニット３０を閉鎖する。このような構成であれば、螺旋状バイメタル２１が伸張しその上端がコイル２４を上方向に通過すると、スイッチからオン信号が出力されフリップフロップが「０」を出力し、開閉駆動部３１によりルーバーユニット３０が閉鎖される。これに対し、螺旋状バイメタル２１が収縮しその上端がコイル２４を下方向に通過すると、スイッチからオン信号が出力されフリップフロップが「１」を出力し、開閉駆動部３１によりルーバーユニット３０が開放される。この構成は、上記第１の実施の形態及びその変形例についても同様に適用することができる。
【００５３】
また、上記第１の実施の形態及びその変形例において、収納ケース４は、底壁面及び４側面を断熱性の部材で形成したが、これに限らず、内側面及び底面をミラー等の光反射部材で構成してもよい。これにより、入射した太陽光を収納ケース４の内部で乱反射させ、太陽光を収納ケース４内に効率的に取り込むことができる。この構成は、上記第２の実施の形態及びその変形例についても同様に適用することができる。
【符号の説明】
【００５４】
１…発電機（バイメタル発電機）、  ２…バイメタル発電ユニット、  ２Ａ…発電ユニット（バイメタル発電ユニット）、  ３…開口、  ４…収納ケース、  ５…透過型液晶パネル（ＬＣＤ）、  ６…温度センサ、  ７…第１太陽電池パネル、  ８…第２太陽電池パネル、  ９…調光制御部、  １０…動作スイッチ、  １１…バッテリー、  ２１…螺旋状バイメタル、  ２２…永久磁石、  ２３…取り付け台、  ２４…コイル、  ３０…ルーバーユニット、  ３１…開閉駆動部、  ３２…渦巻きバイメタル、  ３３ａ…内径端、  ３３ｂ…外径端、  ３４…駆動軸、  ３５…外装ケース、  ３６…羽板、  ３７…枠体、  ３８…回転軸、  ３９…一端部、  ４０…他端部、  ４１…回動アーム、  ４２…連結ピン、  ４３…連動ロッド、  ３８Ａ…被駆動軸、  ４４…入力ギヤ、  ４５…ギヤ部、  ４６…出力ギヤ、  ４７…中間ギヤ、  ４８…支軸
【図１】
0003220436.tif 000003
【図２】
0003220436.tif 000004
【図３】
0003220436.tif 000005
【図４】
0003220436.tif 000006
【図５】
0003220436.tif 000007